(57)【要約】【課題】締付キャップを操作して内管と外管をいったん固定したのちは、締付キャップの締め具合によらず、内管が外管から出てくることのない伸縮散布竿が要求されている。【解決手段】伸縮散布竿１は、一端に雄ネジ部１４を有する外管３Ａと、他端側が外管３Ａ内に管心Ｃ方向移動自在に収容される内管１０と、内管１０の外周面に遊嵌されるクランプリング１１と、内管１０の外周面に遊嵌される締付キャップ８とを備えて成り、締付キャップ８の内周面に設けられた雌ねじ部２８と外管３Ａの雄ネジ部１４を螺合させることにより、クランプリング１１を内管１０に圧接させて内管１０と外管３Ａを竿長可変に固定するように構成されていて、内管１０と外管３Ａとの間に管心Ｃ方向移動自在に装着される可動筒体１２を備え、この可動筒体１２が薬液圧入側接続部からの液圧を受けてクランプリング１１を噴霧ノズル側に押圧し内管１０に圧接させる構成にされている。【選択図】図３
2012000043.tif 000002
【特許請求の範囲】
【請求項１】
一端に雄ネジ部を有し他端に薬液圧入側の接続部を有する外管と、一端に噴霧ノズル側の接続部を有するとともに他端側が外管内に管心方向移動自在に収容される内管と、内管の外周面に遊嵌されるクランプリングと、内管の外周面に遊嵌されるとともにクランプリングの外方に配置される締付キャップとを備えて成り、締付キャップの内周面に設けられた雌ねじ部と外管の雄ネジ部を螺合させることにより、クランプリングを内管に圧接させて内管と外管を竿長可変に固定するように構成された伸縮散布竿において、
クランプリングの薬液圧入側であって内管と外管との間に管心方向移動自在に装着される可動筒体を備え、当該可動筒体が薬液圧入側接続部からの液圧を受けてクランプリングを噴霧ノズル側に押圧し内管に圧接させることを特徴とする伸縮散布竿。
【請求項２】
締付キャップの噴霧ノズル側の内周面が、噴霧ノズル側に向かって縮径するテーパ面として形成され、クランプリングの噴霧ノズル側の外周面が、噴霧ノズル側に向かって縮径し且つ前記締付キャップのテーパ面内に装入可能なテーパ面として形成されている請求項１に記載の伸縮散布竿。
【請求項３】
クランプリングと可動筒体が一体に形成されるとともに、可動筒体の他端側の端面が管心とほぼ直交する受圧面として形成されている請求項２に記載の伸縮散布竿。
【請求項４】
可動筒体の噴霧ノズル側の内周面が、噴霧ノズル側に向かって拡径するテーパ面として形成され、クランプリングの薬液注入側の外周面が、薬液注入側に向かって縮径し且つ前記可動筒体のテーパ面内に装入可能なテーパ面として形成されている請求項１または請求項２に記載の伸縮散布竿。
【発明の詳細な説明】
【技術分野】
【０００１】
本発明は、外管内に管心方向移動自在に内管を収容して竿長可変に固定する伸縮散布竿に関するものである。
【背景技術】
【０００２】
従来、この種の竿長可変の伸縮散布竿としては例えば下記の特許文献１に記載されたものが知られている。図１３に示すように、文献１記載の伸縮散布竿５１は、一端に雄ネジ部５６を有し他端６０が薬液圧入ポンプなどに接続される外管５２と、一端５９に噴霧ノズルが接続され他端６１側が外管５２内に管心方向移動自在に収容される内管５３と、内管５３の外周面に遊嵌されるクランプリング５５と、内管５２の外周面に遊嵌されてクランプリング５５の外方に配置される雌ネジ部５７付きの締付キャップ５４と、内管５２の他端側の外周面に嵌着される水封用のＯリング５８とを備えたものである。この伸縮散布竿５１は、外管５２から内管５３を出し入れして竿長を所望の長さに調整したのち、締付キャップ５４の雌ねじ部５７と外管５２の雄ネジ部５６を螺合させることにより、クランプリング５５を縮径して内管５３に圧接させ内管５３と外管５２を固定するようになっている。
【先行技術文献】
【特許文献】
【０００３】
【特許文献１】実開平５−３７３６７号公報
【発明の概要】
【発明が解決しようとする課題】
【０００４】
上記した文献１記載の伸縮散布竿において、締付キャップ５４を非常に強固に締めると、クランプリング５５の圧接力により内管５３が締め付けられて、内管５３と外管５２とがいちおう固定される。しかしながら、締付キャップ５４の締付力は人により異なる場合が多い。また、噴霧作業中に竿の伸縮を繰り返さなければならない場合に、締付キャップ５４を締めるごとに締付度合が変わることがある。
そして、薬液圧入ポンプなどから送られてきた薬液（矢印Ｆ方向）の液圧は、内管５３の他端６１の端面にもかかっているから、締付キャップ５４の締め付けが弱かった場合、高い液圧により不意に内管５３が一端５９側に出てくることがある。このように内管５３が出てくると竿長が伸びてしまうため、例えば噴霧作業途中で不意に操作しにくくなるという不具合があった。
【０００５】
本発明は、上記した従来の問題点に鑑みてなされたものであって、締付キャップの締め具合によらず、内管が外管から出てくることのない伸縮散布竿の提供を目的とする。
【課題を解決するための手段】
【０００６】
上記目的を達成するために、本発明に係る伸縮散布竿は、一端に雄ネジ部を有し他端に薬液圧入側の接続部を有する外管と、一端に噴霧ノズル側の接続部を有するとともに他端側が外管内に管心方向移動自在に収容される内管と、内管の外周面に遊嵌されるクランプリングと、内管の外周面に遊嵌されるとともにクランプリングの外方に配置される締付キャップとを備えて成り、締付キャップの内周面に設けられた雌ねじ部と外管の雄ネジ部を螺合させることにより、クランプリングを内管に圧接させて内管と外管を竿長可変に固定するように構成された伸縮散布竿において、クランプリングの薬液圧入側であって内管と外管との間に管心方向移動自在に装着される可動筒体を備え、当該可動筒体が薬液圧入側接続部からの液圧を受けてクランプリングを噴霧ノズル側に押圧し内管に圧接させる構成にしてある。
【０００７】
また、前記構成において、締付キャップの噴霧ノズル側の内周面が、噴霧ノズル側に向かって縮径する内テーパ面として形成され、クランプリングの噴霧ノズル側の外周面が、噴霧ノズル側に向かって縮径し且つ前記締付キャップの内テーパ面内に装入可能な外テーパ面として形成されているものである。
ものである。
【０００８】
また、前記構成において、クランプリングと可動筒体が一体に形成されるとともに、可動筒体の他端側の端面が管心とほぼ直交する受圧面として形成されているものである。
【０００９】
そして、前記した各構成において、可動筒体の噴霧ノズル側の内周面が、噴霧ノズル側に向かって拡径する内テーパ面として形成され、クランプリングの薬液注入側の外周面が、薬液注入側に向かって縮径し且つ前記可動筒体の内テーパ面内に装入可能な外テーパ面として形成されているものである。
【発明の効果】
【００１０】
本発明に係る伸縮散布竿によれば、締付キャップを操作して強く締めると、内管と外管がかたく固定される。一方で、クランプリングの薬液圧入側であって内管と外管との間に管心方向移動自在に装着される可動筒体を備えているので、付キャップの締め具合が緩い場合でも、薬液圧入側からの液圧を受けて可動筒体がクランプリングを噴霧ノズル側に押圧し内管に圧接させる。これにより、内管を外管に確実に固定することができる。その結果、締付キャップの締め具合によらず、内管が外管から出てくることのない伸縮散布竿を提供することができる。
【００１１】
また、噴霧ノズル側の内周面に内テーパ面を有する締付キャップと、噴霧ノズル側の外周面に外テーパ面を有するクランプリングとは、いずれも汎用品として出回っているので、これらの締付キャップおよびクランプリングに可動筒体を新たに加えるだけで、薬液圧入側接続部からの液圧を受けて可動筒体がクランプリングを噴霧ノズル側に押圧し内管に圧接させるという構成を、安価且つ容易に提供することができる。
【００１２】
また、前記構成において、クランプリングと可動筒体が一体に形成されるとともに、可動筒体の他端側の端面が管心とほぼ直交する受圧面として形成されているものでは、 構成が更に簡素になるから、よりいっそう安価且つ容易に提供され得る。
【００１３】
そして、噴霧ノズル側の内周面に内テーパ面を有する可動筒体と、薬液注入側の外周面に外テーパ面を有するクランプリングとを備えるものでも、薬液圧入側接続部からの液圧を受けて可動筒体がクランプリングを噴霧ノズル側に押圧し内管に圧接させる構成を提供することができる。斯かる構成と、前記した噴霧ノズル側の内周面に内テーパ面を有する締付キャップ、および、噴霧ノズル側の外周面に外テーパ面を有するクランプリングを備える構成とを組み合わせると、クランプリングを内管に強く圧接させて内管と外管をより強固に固定することができる。
【図面の簡単な説明】
【００１４】
【図１】本発明の一実施形態に係る伸縮散布竿の外観図である。
【図２】前記伸縮散布竿の内管を伸ばした側面図である。
【図３】前記伸縮散布竿の要部を示す側断面図である。
【図４】前記伸縮散布竿の締付キャップを外管から外した部分斜視図である。
【図５】前記伸縮散布竿の外管の一端部近傍を示す拡大斜視図である。
【図６】前記伸縮散布竿の可動筒体を示す拡大斜視図である。
【図７】前記伸縮散布竿のクランプリングを示す拡大斜視図である。
【図８】前記伸縮散布竿において締付キャップが緩んでいるときの要部を示す側断面図である。
【図９】本発明の他の実施形態に係る伸縮散布竿の要部を示す側断面図である。
【図１０】本発明の更に他の実施形態に係る伸縮散布竿の要部を示す側断面図である。
【図１１】本発明の別の実施形態に係る伸縮散布竿の正面図である。
【図１２】前記別の伸縮散布竿の内管を伸ばした正面図である。
【図１３】従来の伸縮散布杆を示す側断面図である。
【発明を実施するための形態】
【００１５】
本発明の実施形態を図面に基づいて説明する。尚、以下に述べる実施形態は本発明を具体化した一例に過ぎず、本発明の技術的範囲を限定するものでない。図１は本発明の一実施形態に係る伸縮散布竿の外観図、図２は前記伸縮散布竿の内管を伸ばした側面図、図３は前記伸縮散布竿の要部を示す側断面図、図４は前記伸縮散布竿の締付キャップを外管から外した部分斜視図である。
各図において、この実施形態に係る伸縮散布竿１は、主配管２、この主配管２から分岐した２つの従配管３Ａ，３Ｂ、および、一動作で主配管２から選択された従配管３Ａまたは従配管３Ｂへの流路を切り替える切り替えレバー６を備えている。従配管３Ａ，３Ｂは、主配管２の分岐部から各先端までの間が長尺の直管部となっている。従配管３Ａの一端の噴霧ノズル側接続部１８には噴霧ノズル４Ｆが取り付けられている。従配管３Ｂの一端には噴霧ノズル４Ｅが取り付けられ、管途中には噴霧ノズル４Ｃ，４Ｄと噴霧ノズル４Ａ，４Ｂが取り付けられている。主配管２の他端には管状の把手３３が連結され、把手３３の他端は連結ホース７を介して液送ポンプ（図示省略）と連結されている。
【００１６】
上記した従配管３Ａ（外管の例：図５も参照）はその一端に管状のホルダ９が装入されてカシメ止めされており、他端に主配管２からの分岐部分である薬液圧入側接続部５を有している。ホルダ９の一端側の外周面には雄ネジ部１４が形成され、一端側の内方は段部１９を有する一端開口部１３と成っている。ホルダ９の段部１９よりも薬液圧入側接続部５側の内周面に１条の周回溝（符号付け省略）が刻設され、この周回溝にＯリング３０が装着されている。Ｏリング３０は従配管３Ａの外周面とホルダ９の内周面との間を水密状に封止する。
【００１７】
内管１０は噴霧ノズル４Ｆが取り付けられる噴霧ノズル側接続部１８を一端に備えている。内管１０の他端側はホルダ９の一端開口部１３から従配管３Ａ内に管心Ｃ方向移動自在に収容される。内管１０の他端開口部には円筒状の口金３２が装着されている。本例において従配管３Ａ，３Ｂおよび内管１０はステンレス鋼で構成してあるが、ステンレス鋼以外としては例えば真鍮、アルミニウム、合成樹脂などで構成することも可能である。そして、内管１０の外周面には、噴霧ノズル４Ｆ側から薬液圧入側接続部５側に向かって順に、締付キャップ８、クランプリング１１、および可動筒体１２がそれぞれ遊嵌されている。内管１０の他端側の外周面と従配管３Ａの内周面との間には、通水可能な隙間が設けられている。この隙間と一端開口部１３とは通液路２９を介して連通している。
【００１８】
締付キャップ８はクランプリング１１および可動筒体１２の外径よりも大径に形成されており、クランプリング１１および可動筒体１２の周囲を被っている。締付キャップ８における噴霧ノズル４Ｆ寄りの内周面は、噴霧ノズル４Ｆ側に向かって縮径する内テーパ面３１として形成されている。締付キャップ８は本例では真鍮で構成してあるが、真鍮以外に例えばアルミニウムやポリアセタール樹脂などを用いることができる。
【００１９】
可動筒体１２（図６も参照）は、一端から他端にわたって貫通した筒開口２１を有する円筒状に形成されている。この可動筒体１２は、クランプリング１１の薬液圧入側であって内管１０と従配管３Ａとの間、すなわちホルダ９の一端開口部１３内に管心Ｃ方向移動自在に装着される。可動筒体１２はその後面２７がホルダ９の一端開口部１３の段部１９に当接して止まるようになっている。可動筒体１２の噴霧ノズル４Ｆ寄りの内周面は、噴霧ノズル４Ｆ側に向かって拡径する内テーパ面２２として形成されている。可動筒体１２は本例では真鍮で構成してあるが、真鍮以外に例えばアルミニウム、ステンレス鋼、ポリアセタール樹脂などで構成することができる。
【００２０】
可動筒体１２の外周面には２条の周回溝（符号付け省略）が刻設され、これらの周回溝にＯリング２３，２４が嵌着され、可動筒体１２の内周面には２条の周回溝（符号付け省略）が刻設され、これらの周回溝にＯリング２５，２６が装着されている。前記のＯリング２３，２４を介して従配管３Ａのホルダ９と可動筒体１２とが水密状で摺動自在に接しており、Ｏリング２５，２６を介して可動筒体１２と内管１０とが水密状で摺動自在に接している。上記したＯリング２３，２４，２５，２６，３０は本例ではＮＢＲで構成しているが、ＮＢＲ以外に例えばフッ素ゴムなどで構成することも可能である。
【００２１】
クランプリング１１（図７も参照）は一端から他端にわたって貫通した筒開口２０を有する筒状に形成されている。クランプリング１１の噴霧ノズル４Ｆ寄り（一端側）の外周面は、噴霧ノズル４Ｆ側に向かって縮径した外テーパ面１６として形成されている。この外テーパ面１６は、締付キャップ８の内テーパ面３１内に装入可能な大きさに形成されている。クランプリング１１の薬液注入側接続部５寄り（他端側）の外周面は、薬液注入側接続部５に向かって縮径した外テーパ面１７として形成されている。この外テーパ面１７は、可動筒体１２の内テーパ面２２内に装入可能な大きさに形成されている。そして、クランプリング１１は、管心Ｃ方向に沿って形成された割り溝１５によって周方向に分離している。このクランプリング１１は本例では真鍮で構成してあるが、真鍮以外に例えばステンレス鋼、合成ゴム、ポリプロピレン、あるいはポリアセタールなどで構成してもよい。
すなわち、上記した締付キャップ８、クランプリング１１、および可動筒体１２、更には従配管３Ａのホルダ９を含めた構成が、従配管３Ａに対し内管１０を出し入れ可能に固定する固定部４０である。
【００２２】
上記のように構成された伸縮散布竿１の作用を次に説明する。まず、締付キャップ８を緩めて、クランプリング１１および可動筒体１２を管心Ｃ方向に自由に移動できる状態にしておく。続いて、従配管３Ａに対し内管１０を出し入れして、所望の竿長に設定する。そこで、締付キャップ８を回し他端側に向けて（矢印Ｆの反対方向）螺進させると、締付キャップ８の内テーパ面３１が外テーパ面１６に当りクランプリング１１を他端側に押す。続いて、クランプリング１１の外テーパ面１７が内テーパ面２２に当って可動筒体１２を他端側に押す。そのうち、可動筒体１２の後面２７がホルダ９の段部１９に当って可動筒体１２が止められる。更に締付キャップ８を締めると、締付キャップ８の内テーパ面３１により外テーパ面１６が押し付けられ、クランプリング１１の割り溝１５の一端側が狭まって縮径し内管１０に圧接する。同時に、止まった可動筒体１２の内テーパ面２２により外テーパ面１７が押し付けられ、クランプリング１１の割り溝１５の他端側が狭まって縮径し内管１０に圧接する。これらにより、内管１０が従配管３Ａにかたく固定される。このときの状態は図３に示した通りである。
【００２３】
一方で、図８に示すように、締付キャップ８の螺進量が少ない場合すなわち締付キャップ８の締め付けが緩い場合は、可動筒体１２の後面２７が段部１９に到達していないか弱い当接力で接しているので、内管１０へのクランプリング１１の圧接力は小さく、内管１０が従配管３Ａから進出しやすい状態にある。そこで、薬液圧入側から通液路２９を通って一端開口部１３内に入った薬液の液圧が可動筒体１２の後面２７にかかっており、可動筒体１２を噴霧ノズル側に押圧している。そこで、可動筒体１２の内テーパ面２２が外テーパ面１７を押して、クランプリング１１の他端側を内管１０に圧接させ、締付キャップ８の内テーパ面３１が外テーパ面１６を押してクランプリング１１の一端側を内管１０に圧接させる。これにより、図３に示した状態と同様に、内管１０と従配管３Ａを確実に固定することができる。その結果、所望の竿長に設定した伸縮散布竿１が使用途中で不意に伸びてしまうという不具合を防ぐことができる。
【００２４】
尚、上記の実施形態では、クランプリング１１の外周面の一端側と他端側の双方に外テーパ面１６，１７を形成し、可動筒体１２の内周面の一端側に内テーパ面２２を形成し、締付キャップ８の内周面の一端側に内テーパ面３１を形成したものを例示したが、本発明はそれに限定されるものでない。例えば、図９に示すように、他端側に外テーパ面がなく管径方向に沿う後面３５を有し割り溝１５を備えるクランプリング１１ａと、一端側に内テーパ面がなく管径方向に沿う前面３６を有する可動筒体１２ａとを備えたものも、本発明に含まれる。すなわち、締付キャップ８、クランプリング１１ａ、および可動筒体１２ａ、更には従配管３Ａのホルダ９を含めた構成が、従配管３Ａに対し内管１０を出し入れ可能に固定する固定部４０ａである。尚、図９において、図１〜図８で示した構成要素と同じものには同じ符号を付して説明は省略する。
【００２５】
この伸縮散布竿では、薬液圧入側からの液圧を後面２７で受けた可動筒体１２ａが押され、更に可動筒体１２ａの前面３６がクランプリング１１ａの後面３５を噴霧ノズル側（矢印Ｆ方向）に押す。これにより、締付キャップ８の内テーパ面３１で外テーパ面１６が押され、クランプリング１１ａの一端側が縮径して内管１０を従配管３Ａに固定する。このような締付キャップ８とクランプリング１１ａはいずれも汎用品として出回っているので、これらに可動筒体１２ａを新たに加えるだけで、クランプリング１１ａを内管１０に圧接させる構成を、安価に且つ容易に提供できる。
【００２６】
あるいは図示を省略するが、前記と逆に、一端側に外テーパ面がなく管径方向に沿う前面を有し他端側に既述の外テーパ面１７を有するクランプリングと、内周面の一端側に内テーパ面がなく前記クランプリングの前面を止める後面を有する締付キャップと、一端側に既述の内テーパ面２２を有する可動筒体１２とを備えた固定部を有するものも、本発明に含まれる。この伸縮散布竿では、可動筒体１２の内テーパ面２２でクランプリングの外テーパ面１７が押され、クランプリングの他端側が縮径して内管１０を従配管３Ａに固定する。
尚、上記では内管１０を出し入れする外管として従配管３Ａを例示したが、従配管３Ａに替えて従配管３Ｂに、あるいは従配管３Ａ，３Ｂの双方に、内管１０を出し入れ自在に外管に固定する構造を持たせても構わない。
【００２７】
あるいは、図１０に示すような固定部４０ｂを備える伸縮散布竿も本発明に含まれる。この固定部４０ｂでは、クランプリング部１１ｂと可動筒体部１２ｂが合成樹脂などを材料として一体に形成されたクランプリング１１ｃを備えている。クランプリング部１１ｂと可動筒体部１２ｂとの境界部分は図１０中の１点鎖線で示す位置である。クランプリング部１１ｂには既述した割り溝１５（図示省略）が設けられている。クランプリング１１ｃの可動筒体部１２ｂの他端である後端面は管心Ｃと直交する受圧面２７Ａとして形成されている。この受圧面２７Ａはホルダ９の段部１９で止められる。尚、図１０において、図１〜図８で示した構成要素と同じものには同じ符号を付して説明は省略する。
この伸縮散布竿では、液圧を受圧面２７Ａで受けたクランプリング１１ｃが矢印Ｆ方向に押される。これにより、締付キャップ８の内テーパ面３１で外テーパ面１６が径方向内向きに押され、クランプリング１１ｃのクランプリング部１１ｂが縮径して内管１０を従配管３Ａに固定する。この伸縮散布竿も安価に且つ容易に提供することができる。
【００２８】
更に、本発明は図１１に示すような伸縮散布竿１ａも含んでいる。この伸縮散布竿１ａは、液送ポンプなどと接続される主配管２ａと、この主配管２から接続部５ａで分岐した２つの従配管４２Ａ，４２Ｂ（外管の例）と、従配管４２Ａ内に管心Ｃ方向移動自在に収容される内管４３Ａと、従配管４２Ｂ内に管心Ｃ方向移動自在に収容される内管４３Ｂとを備えている。内管４３Ａ,４３Ｂは途中で従配管４２Ａ，４２Ｂの管心Ｃから直角の方向に曲げられており、それぞれの先端部に噴霧ノズル４Ｈ，４Ｈが互いに対向する内向きに取り付けられている。また、従配管４２Ａ，４２Ｂのそれぞれの途中にも噴霧ノズル４Ｇ，４Ｇが取り付けられている。そして、前記した従配管４２Ａ，４２Ｂは、この例では同一の管心Ｃ上で左右に延びるように配置されている。そして、従配管４２Ａ，４２Ｂのそれぞれの先端（一端）には、締付キャップ８を有する固定部４０（図３参照），４０ａ（図９参照），４０ｂ（図１０参照）、あるいは図示を省略した固定部のいずれかが配備されている。これらの固定部４０，４０ａ,４０ｂなどの存在により、従配管４２Ａ，４２Ｂに対し内管４３Ａ,４３Ｂが出し入れ可能に固定されるようになっている。
【００２９】
そこで、締付キャップ８，８を緩めると、図１２に示すように、従配管４２Ａ，４２Ｂに対し内管４３Ａ，４３Ｂを出し入れ移動させることができる。そして、対向する噴霧ノズル４Ｈ，４Ｈ間の幅Ｗを決めたのちに、締付キャップ８，８を締めることにより、従配管４２Ａ，４２Ｂに対し内管４３Ａ，４３Ｂが固定される。このように、伸縮散布竿１ａは噴霧ノズル４Ｈ，４Ｈ間の幅Ｗを可変に調整することができる。この場合、締付キャップ８，８の締め付けが弱くても、内管４３Ａ，４３Ｂは固定部の機能により従配管４２Ａ，４２Ｂにしっかりと固定されるから、薬液注入側からの液圧により噴霧作業の途中で内管４３Ａ，４３Ｂが外向きに出て行って噴霧ノズル４Ｈ，４Ｈ間の幅Ｗが広くなるという不具合を防ぐことができる。
【符号の説明】
【００３０】
１，１ａ  伸縮散布竿
３Ａ  従配管（外管）
４Ｆ  噴霧ノズル
５  薬液圧入側接続部
８  締付キャップ
１０  内管
１１，１１ａ，１１ｃ  クランプリング
１１ｂ  クランプリング部
１２，１２ａ  可動筒体
１２ｂ  可動筒体部
１４  雄ネジ部
１６  外テーパ面
１７  外テーパ面
１８  噴霧ノズル側接続部
２２  内テーパ面
２８  雌ネジ部
３１  内テーパ面
４０，４０ａ，４０ｂ  固定部
Ｃ  管心
【図１】
2012000043.tif 000003
【図２】
2012000043.tif 000004
【図３】
2012000043.tif 000005
【図４】
2012000043.tif 000006
【図５】
2012000043.tif 000007
【図６】
2012000043.tif 000008
【図７】
2012000043.tif 000009
【図８】
2012000043.tif 000010
【図９】
2012000043.tif 000011
【図１０】
2012000043.tif 000012
【図１１】
2012000043.tif 000013
【図１２】
2012000043.tif 000014
【図１３】
2012000043.tif 000015